(57)【特許請求の範囲】
【請求項１】
一対の開口に連通している連通路を規定している枠手段と、連通路における気体を強制的に流動させる強制流動手段とを具備しており、強制流動手段は、連通路に回転自在に配されている羽根車と、この羽根車を回転させる回転手段と、羽根車を間にして互いに対向していると共に、羽根車に対して夫々接近及び離反自在である第一及び第二の接離板とを具備しており、第一の接離板は、羽根車に対して凹状に曲がっていると共に羽根車を部分的に取り囲んでいる凹曲部と、連通路を一方の開口側における空間と他方の開口側における空間とに区画するように、第一の接離板の凹曲部の他方の開口側における端部に連続していると共に当該端部から折り曲げられてなる区画板部と、この区画板部の前記折り曲げられた部位よりも羽根車から離反している端部に配されている回動軸とを具備しており、回転手段により回転される羽根車と協動して連通路における気体を一方の開口に向かうように強制的に流動させるべく前記回動軸を軸心として回動されることにより羽根車に接近する一方、連通路における気体の一方の開口に向かう強制的な流動を解除すべく前記回動軸を軸心として逆回動されることにより羽根車から離反するようになっており、第二の接離板は、羽根車に対して凹状に曲がっていると共に羽根車を部分的に取り囲んでいる凹曲部と、連通路を一方の開口側における空間と他方の開口側における空間とに区画するように、第二の接離板の凹曲部の一方の開口側における端部に連続していると共に当該端部から折り曲げられている区画板部と、この区画板部の前記折り曲げられた部位よりも羽根車から離反している端部に配されている回動軸とを具備しており、第一の接離板が羽根車から離反した際に、回転手段により回転される羽根車と協動して連通路における気体を他方の開口に向かうように強制的に流動させるべく前記回動軸を軸心として回動されることにより羽根車に接近する一方、第一の接離板が羽根車に接近した際に、回転手段により回転される羽根車と協動して連通路における気体の他方の開口に向かう強制的な流動を解除すべく前記回動軸を軸心として回動されることにより羽根車から離反するようになっている換気装置。
【請求項２】
強制流動手段は、第一の接離板の羽根車に対する接近又は離反に基づいて第二の接離板の羽根車に対する離反又は接近を生じさせるように第一の接離板と第二の接離板とを連結している連結部材を具備している請求項１に記載の換気装置。
【請求項３】
羽根車は、互いに円筒状に並んで配された複数枚の羽根を具備しており、各凹曲部は、複数枚の羽根の外縁の包絡線で形成される仮想円筒面を部分的に取り囲むようになっている請求項１又は２に記載の換気装置。
【請求項４】
第一の接離板の凹曲部の他方の開口側における端部は、当該凹曲部の一方の開口側における端部よりも羽根車に近接しており、第二の接離板の凹曲部の一方の開口側における端部は、当該凹曲部の他方の開口側における端部よりも羽根車に近接している請求項１から３のいずれか一項に記載の換気装置。
【請求項５】
第一及び第二の接離板の折り曲げられた部位は、羽根車に対して夫々凸となっている請求項１から４のいずれか一項に記載の換気装置。
【請求項６】
強制流動手段は、回転手段により羽根車が回転されていない場合には、連通路における気体の非強制的な流動を許容するようになっている請求項１から５のいずれか一項に記載の換気装置。
【請求項７】
第一の接離板は、当該第一の接離板が羽根車に接近している際に、連通路を規定している枠手段の規定面と協動して連通路における気体の非強制的な流動を許容する通路を形成するようになっている請求項１から６のいずれか一項に記載の換気装置。
【請求項８】
少なくとも一方の開口を開閉する開閉手段を更に具備しており、開閉手段は、一方の開口を開放することにより連通路における気体の流動を許容する一方、一方の開口を閉鎖することにより連通路における気体の流動を禁止するようになっている請求項１から７のいずれか一項に記載の換気装置。
【請求項９】
羽根車は、横流ファンからなる請求項１から８のいずれか一項に記載の換気装置。
【発明の詳細な説明】
【技術分野】
【０００１】
本発明は、ビル等の建物（構造物）に形成される開口部に取り付けられる換気装置に関する。
【背景技術】
【０００２】
【特許文献１】特開２００１−３１７７８４号公報
【０００３】
この種の換気装置としては、例えば、建物内外に連通する連通路に、建物内外を遮断するように固定的に配設された羽根車（横流ファン）を回転させることにより、建物内の換気を強制的に行うように構成された換気装置が特許文献１において提案されている。
【発明の開示】
【発明が解決しようとする課題】
【０００４】
ところで、斯かる換気装置では、羽根車（横流ファン）が建物内外を遮断するように固定的に配設されているために、連通路における気体の強制的な流動を一方向、例えば建物外から建物内に向かう給気方向又は建物内から建物外に向かう排気方向にしか生じさせることができず、建物内の給気及び排気を行うためには、斯かる換気装置が二基以上設置されなければならないものと考えられる結果、一基で強制的な給気及び排気を行うことが困難である。
【０００５】
また、斯かる換気装置では、羽根車が建物内外を遮断するように配設されているために、羽根車が邪魔となって建物内の非強制的な換気（自然換気）を効果的に行うことが困難であり、従って、強弱のある自然な気体流動により建物内を換気するためには、自然換気用の換気装置、例えば、建物内外を連通する通路を開放及び閉鎖する開閉機構を具備した換気装置を上記換気装置とは別に設置することとなる結果、換気装置の設定部位の縮小化が困難である。尚、強弱なく強制的に流動される気体が人に連続的に当たることにより不快な気分を生じさせる虞もある。
【０００６】
本発明は、前記諸点に鑑みてなされたものであり、その目的とするところは、一基で強制的な給気及び排気を行うことのできる換気装置を提供することにある。また、本発明の他の目的とするところは、一基で強制的な給気及び排気を行うことができ、更に、非強制的な換気をも行い得る換気装置を提供することにある。
【課題を解決するための手段】
【０００７】
本発明の第一の態様の換気装置は、一対の開口に連通している連通路を規定している枠手段と、連通路における気体を強制的に流動させる強制流動手段とを具備しており、強制流動手段は、連通路に回転自在に配されている羽根車と、この羽根車を回転させる回転手段と、羽根車を間にして互いに対向していると共に、羽根車に対して夫々接近及び離反自在である第一及び第二の接離板とを具備しており、第一の接離板は、回転手段により回転される羽根車と協動して連通路における気体を一方の開口に向かうように強制的に流動させるべく羽根車に接近する一方、連通路における気体の一方の開口に向かう強制的な流動を解除すべく羽根車から離反するようになっており、第二の接離板は、第一の接離板が羽根車から離反した際に、回転手段により回転される羽根車と協動して連通路における気体を他方の開口に向かうように強制的に流動させるべく羽根車に接近する一方、第一の接離板が羽根車に接近した際に、回転手段により回転される羽根車と協動して連通路における気体の他方の開口に向かう強制的な流動を解除すべく羽根車から離反するようになっている。
【０００８】
第一の態様の換気装置によれば、第一の接離板を回転手段により回転される羽根車に接近させると共に第二の接離板を当該羽根車から離反させることにより、連通路における気体に他方の開口から一方の開口に向かう流動を強制的に生じさせることができ、また、第一の接離板を回転手段により回転される羽根車から離反させると共に第二の接離板を当該羽根車に接近させることにより、連通路における気体に一方の開口から他方の開口に向かう流動を強制的に生じさせることができ、例えば、一方の開口が建物外に臨み、他方の開口が建物内に臨むようにして一基の換気装置を設置した場合には、建物内の気体を建物外に強制的に排気することができると共に建物外の気体を建物内に強制的に給気することができる。
【０００９】
本発明の第二の態様の換気装置では、第一の態様の換気装置において、強制流動手段は、第一の接離板の羽根車に対する接近又は離反に基づいて第二の接離板の羽根車に対する離反又は接近を生じさせるように第一の接離板と第二の接離板とを連結している連結部材を更に具備している。
【００１０】
第二の態様の換気装置によれば、上述の構成を具備しているために、第一及び第二の接離板の羽根車に対する接近及び離反を機械的に同期して行わせることができ、更に、第一及び第二の接離板を羽根車に対して接近及び離反させるための電動モータ等の駆動源を減らすことができる。
【００１１】
本発明の第三の態様の換気装置では、第一又は第二の態様の換気装置において、第一及び第二の接離板は、羽根車を部分的に取り囲んでいる。
【００１２】
本発明の第四の態様の換気装置では、第一から第三のいずれかの態様の換気装置において、第一及び第二の接離板は、羽根車に対して凹状に曲がっていると共に、羽根車を部分的に取り囲んでいる凹曲部を夫々具備している。
【００１３】
本発明の第五の態様の換気装置では、第四の態様の換気装置において、羽根車は、互いに円筒状に並んで配された複数枚の羽根を具備しており、各凹曲部は、複数枚の羽根の外縁の包絡線で形成される仮想円筒面を部分的に取り囲むようになっている。
【００１４】
第四又は第五の態様の換気装置によれば、上述の構成を具備しているために、連通路における気体の流動を効果的に生じさせ得る。
【００１５】
本発明の第六の態様の換気装置では、第四又は第五の態様の換気装置において、第一の接離板の凹曲部の他方の開口側における端部は、当該凹曲部の一方の開口側における端部よりも羽根車に近接しており、第二の接離板の凹曲部の一方の開口側における端部は、当該凹曲部の他方の開口側における端部よりも羽根車に近接している。
【００１６】
本発明の第七の態様の換気装置では、第四から第六のいずれかの態様の換気装置において、第一の接離板は、連通路を一方の開口側における空間と他方の開口側における空間とに区画するように、第一の接離板の凹曲部の他方の開口側における端部に連続していると共に当該端部から折り曲げられている区画板部を具備しており、第二の接離板は、連通路を一方の開口側における空間と他方の開口側における空間とに区画するように、第二の接離板の凹曲部の一方の開口側における端部に連続していると共に当該端部から折り曲げられている区画板部を具備している。
【００１７】
第六又は第七の態様の換気装置によれば、上述の構成を具備しているために、連通路における気体の流動をより効果的に生じさせ得る。
【００１８】
本発明の第八の態様の換気装置では、第一から第七のいずれかの態様の換気装置において、第一の接離板及び第二の接離板は、回動軸を夫々具備しており、当該回動軸を軸心として夫々回動されることにより羽根車に対して夫々接近及び離反するようになっている。
【００１９】
本発明の第九の態様の換気装置では、第八の態様の換気装置において、第一の接離板の回動軸は、第一の接離板の他方の開口側における端部に配されており、第二の接離板の回動軸は、第二の接離板の一方の開口側における端部に配されている。
【００２０】
本発明の第十の態様の換気装置では、第七の態様の換気装置において、第一の接離板及び第二の接離板は、区画板部の端部に配されている回動軸を夫々具備しており、当該回動軸を軸心として夫々回動されることにより羽根車に対して夫々接近及び離反するようになっている。
【００２１】
第八から第十のいずれかの態様の換気装置によれば、上述の構成を具備しているために、接離板を回動させるだけで当該接離板の一方の端部を他方の端部よりも大きく接近移動又は離反移動させることができ、而して、連通路における気体の流動を簡単な作動により効果的に生じさせ得る。
【００２２】
本発明の第十一の態様の換気装置では、第七又は第十の態様の換気装置において、第一及び第二の接離板の折り曲げられた部位は、羽根車に対して夫々凸となっている。
【００２３】
本発明の第十二の態様の換気装置では、第一から第十一のいずれかの態様の換気装置において、強制流動手段は、回転手段により羽根車が回転されていない場合には、連通路における気体の非強制的な流動を許容するようになっている。
【００２４】
本発明の第十三の態様の換気装置では、第一から第十二のいずれかの態様の換気装置において、第一の接離板は、当該第一の接離板が羽根車に接近している際に、連通路を規定している枠手段の規定面と協動して連通路における気体の非強制的な流動を許容する通路を形成するようになっている。
【００２５】
第十二の態様の換気装置によれば、上述の構成を具備しているために、連通路における気体の非強制的な流動を生じさせ得て、気体の自然な流動に基づく換気（自然換気）を行い得る。また、第十三の態様の換気装置によれば、上述の構成を具備しているために、連通路における気体の非強制的な流動を円滑に生じさせ得、気体の自然な流動に基づく換気をより効果的に行い得る。
【００２６】
本発明の第十四の態様の換気装置は、第一から第十三のいずれかの態様の換気装置において、少なくとも一方の開口を開閉する開閉手段を更に具備しており、開閉手段は、一方の開口を開放することにより連通路における気体の流動を許容する一方、一方の開口を閉鎖することにより連通路における気体の流動を禁止するようになっている。
【００２７】
本発明の第十五の態様の換気装置では、第一から第十四のいずれかの態様の換気装置において、羽根車は、横流ファンからなる。
【発明の効果】
【００２８】
本発明によれば、一基で強制的な給気及び排気を行うことができ、更には、非強制的な換気をも行い得る換気装置を提供し得る。
【発明を実施するための最良の形態】
【００２９】
次に、本発明の実施の形態の例を、図に示す好ましい例に基づいて更に詳細に説明する。尚、本発明はこれら例に何等限定されないのである。
【実施例】
【００３０】
図１から図６において、本例の換気装置１は、一対の開口２及び３に連通している連通路４を規定していると共に建物側壁５に固着されている枠手段６と、連通路４における気体７を強制的に流動させる強制流動手段８と、開口２を開閉する開閉手段９とを具備している。
【００３１】
建物側壁５には、建物外１１及び開口２に連通している貫通孔１２が設けられており、貫通孔１２には防塵用及び防鳥用の網体１３が配されている。開口２は、貫通孔１２を介して建物外１１に連通している。
【００３２】
枠手段６は、上方で開口３を、前方で開口２を夫々規定していると共に建物側壁５の建物内１８側の壁面１４に固着された横長の枠本体１５と、開口３を覆うように壁面１４及び腰壁１６の上端面に固定された防塵枠１７とを具備している。開口３は、防塵枠１７を介して建物内１８に連通している。防塵枠１７には、防塵用網体１９が設けられている。
【００３３】
枠本体１５は、壁面１４に固定された前壁２１と、前壁２１に固着された後壁２２と、横方向、本例ではＸ方向における前壁２１及び後壁２２の一端及び他端に夫々固着された側壁２３及び２４とを具備しており、前壁２１、後壁２２、側壁２３及び２４の夫々の規定面としての内壁面により連通路４を規定している。前壁２１には、開口２が設けられており、前壁２１及び後壁２２の夫々の上端縁間には、開口３が設けられている。
【００３４】
強制流動手段８は、連通路４に回転自在に配されている羽根車３１と、羽根車３１をＲ方向に回転させる回転手段３２と、羽根車３１を間にして互いに対向していると共に、羽根車３１に対して夫々接近及び離反自在である接離板３３及び３４と、接離板３３の羽根車３１に対する接近又は離反に基づいて接離板３４の羽根車３１に対する離反又は接近を生じさせるように接離板３３及び３４を回転自在に連結している連結部材としての連結アーム３５とを具備している。
【００３５】
羽根車３１は、本例では、いわゆる横流ファンとして構成されており、Ｘ方向に伸びた回転軸４１と、回転軸４１が貫通していると共に当該回転軸４１に固着されている鍔４０付きのＸ方向に伸びた円筒状軸部材４３と、円筒状軸部材４３の両側の鍔４０に夫々固着された一対の円盤状部材４２と、一対の円盤状部材４２を橋絡して当該一対の円盤状部材４２に固着されていると共に夫々湾曲されており、しかも、互いに平行であって円周方向に沿って円筒状に配されているＸ方向に伸びた複数枚の羽根４４とを具備している。羽根４４は、円盤状部材４２及び円筒状軸部材４３を介して回転軸４１に夫々固着されている。円筒状軸部材４３は、Ｘ方向において一対の円盤状部材４２よりも側壁２３及び２４に向かって突出した一対の突出部４５を有しており、一対の突出部４５は、側壁２３及び２４に夫々回転自在に支持されている。
【００３６】
回転手段３２は、連通路４外において側壁２３に固着された電動モータ５１と、電動モータの出力回転軸の回転が回転軸４１に伝達されるように電動モータ５１と回転軸４１とを連結している歯車連結機構５２とを具備している。歯車連結機構５２のハウジング５３は、側壁２３の内壁面に固定されていると共に円筒状軸部材４３を回転自在に支持している。
【００３７】
接離板３４よりも後壁２２側に配された接離板３３は、羽根車３１に対して凹状に曲がっていると共に、羽根車３１を部分的に取り囲んでいる凹曲部５５と、連通路４を開口２側における空間５６と開口３側における空間５７とに区画するように、凹曲部５５の開口３側における端部５８に連続していると共に当該端部５８から折り曲げられている区画板部５９と、区画板部５９の端部６０に配されている回動軸６１とを具備している。接離板３３の折り曲げられた部位６２は、羽根車３１に対して凸となっている。斯かる接離板３３は、回動軸６１を軸心としてＡ方向に回動されることにより羽根車３１に対して接近する一方、回動軸６１を軸心としてＢ方向に回動されることにより羽根車３１に対して離反するようになっている。
【００３８】
凹曲部５５は、接離板３３が羽根車３１に夫々接近した際に複数枚の羽根４４の外縁の包絡線で形成される仮想円筒面６４に対面していると共に当該仮想円筒面６４を部分的に取り囲む湾曲状面６５と、後壁２２の内壁面に対面していると共に当該内壁面に向かって凸である湾曲状面６６とを具備している。凹曲部５５の端部５８は、凹曲部５５の開口２側における端部６３よりも羽根車３１に常に近接している。凹曲部５５は、接離板３３がＡ方向に回動されることにより特に端部６３において羽根車３１に接近し、また、接離板３３がＢ方向に回動されることにより特に端部６３において羽根車３１から離反されるようになっている。端部５８は、本例では端部６３よりも上方に配されている。
【００３９】
湾曲状面６６は、本例では、接離板３３が羽根車３１に接近している際に、後壁２２の内壁面と協動して連通路４における気体７の非強制的な流動を許容する通路６７を形成するようになっている。通路６７の幅Ｃは、接離板３３の回動角が制御されることにより適宜調整されるようになっており、例えば、接離板３３をＡ方向に回動させて幅Ｃを拡げることにより通路６７に非強制的な流動を生じさせ易くすることができ、また、接離板３３をＢ方向に回動させて幅Ｃを狭めることにより通路６７に非強制的な流動を生じさせ難くすることができる。従って、通路６７を介して建物外１１から建物内１８に強風が吹き込まないようにすることも可能である。尚、接離板３３を羽根車３１と協動させて開口２に向かって気体７を強制的に流動させている場合には、通路６７における気体７の非強制的な流動は前記強制的な流動に殆ど影響しない。
【００４０】
区画板部５９は、羽根車３１側において当該羽根車３１を境に連通路４を空間５６及び５７に区画している。尚、部位６２は、接離板３３がＢ方向に回動された際に、羽根車３１に対して若干接近するように配されている。
【００４１】
回動軸６１は、側壁２３及び２４に夫々回動自在に支持されている。
【００４２】
以上の接離板３３は、回転手段３２により回転される羽根車３１と協動して連通路４における気体７を開口２に向かうように強制的に流動（排気）させるべくＡ方向に回動することにより図５に示すように羽根車３１に接近する一方、連通路４における気体７の開口２に向かう強制的な流動を解除すべくＢ方向に回動することにより図６に示すように羽根車３１から離反するようになっている。
【００４３】
接離板３３よりも前壁２１側に配された接離板３４は、接離板３３と同様に形成されているので、必要に応じて図面に同符号を付してその詳細な説明を省略する。尚、接離板３４の凹曲部５５の端部５８は、端部６３よりも下方に配されており、また、接離板３４の回動軸６１には、接離板３３及び３４を回動させるための電動モータ７０が連結されている。また、接離板３４は、接離板３３が羽根車３１から離反した際に、回転手段３２により回転される羽根車３１と協動して連通路４における気体７を開口３に向かうように強制的に流動（給気）させるべくＡ方向に回動されて図６に示すように羽根車３１に接近する一方、接離板３３が羽根車３１に接近した際に、回転手段３２により回転される羽根車３１と協動して連通路４における気体７の開口３に向かう強制的な流動を解除すべくＢ方向に回動して図５に示すように羽根車３１から離反するようになっている。
【００４４】
連結アーム３５は、両端で接離板３３及び３４の端部５８から離れた凹曲部５５の部位に軸７１を介して夫々回転自在に連結されている。尚、側壁２３及び２４には、軸７１が干渉しないようにスリット７２が設けられている。斯かる連結アーム３５は、接離板３３及び３４の羽根車３１に対する接近及び離反を機械的に同期して行わせるようになっている。
【００４５】
開閉手段９は、開口２を規定している前壁２１に一端８１でＤ及びＥ方向に回動自在に支持されている中空の横長の開閉部材８２と、開閉部材８２に当接するように前壁２１の縁部に嵌着されている弾性を有したシール部材８３と、開閉部材８２を回動させる電動モータ（図示せず）とを具備しており、この電動モータの作動により開閉部材８２をＤ方向に回動させて開口２を開放することによって連通路４における気体７の流動を許容する一方、電動モータの作動により開閉部材８２をＥ方向に回動させて開口２を閉鎖することによって連通路４における気体７の流動を禁止するようになっている。
【００４６】
本例の換気装置１では、図１に示すように、開閉手段９により開口２が閉鎖されている場合には、建物内外１８及び１１間の連通路４を介した気体７の流動は生じない。
【００４７】
換気装置１では、図５に示すように、開閉手段９により開口２が開放されている場合であって、接離板３３が羽根車３１に接近していると共に接離板３４が羽根車３１から離反している場合には、主に通路６７を介して非強制的な気体７の流動が生じ得、斯かる流動により自然給気及び自然排気を行い得る。また、換気装置１では、図６に示すように、開閉手段９により開口２が開放されている場合であって、接離板３３が羽根車３１から離反していると共に接離板３４が羽根車３１に接近している場合には、通路６７は殆ど閉鎖されており、斯かる通路６７を介する気体７の流動は殆ど生じないが、羽根車３１を介して非強制的な気体７の流動が生じ得、斯かる流動によっても自然給気及び自然排気を行い得る。
【００４８】
換気装置１では、図５に示すように、開閉手段９により開口２が開放されている場合であって、接離板３３が羽根車３１に接近していると共に接離板３４が羽根車３１から離反している場合において、回転手段３２により羽根車３１をＲ方向に回転させると、連通路４における気体７に開口３から開口２に向かう流動が生じ、斯かる流動により建物内１８の気体７を建物外１１に強制的に排気することができる。
【００４９】
換気装置１では、図６に示すように、開閉手段９により開口２が開放されている場合であって、接離板３３が羽根車３１から離反していると共に接離板３４が羽根車３１に接近している場合において、回転手段３２により羽根車３１をＲ方向に回転させると、連通路４における気体７に開口２から開口３に向かう流動が生じ、斯かる流動により建物外１１の気体７を建物内１８に強制的に給気することができる。
【００５０】
以上の換気装置１によれば、一対の開口２及び３に連通している連通路４を規定している枠手段６と、連通路４における気体７を強制的に流動させる強制流動手段８とを具備しており、強制流動手段８は、連通路４に回転自在に配されている羽根車３１と、羽根車３１を回転させる回転手段３２と、羽根車３１を間にして互いに対向していると共に、羽根車３１に対して夫々接近及び離反自在である接離板３３及び３４とを具備しており、接離板３３は、回転手段３２により回転される羽根車３１と協動して連通路４における気体７を開口２に向かうように強制的に流動させるべく羽根車３１に接近する一方、連通路４における気体７の開口２に向かう強制的な流動を解除すべく羽根車３１から離反するようになっており、接離板３４は、接離板３３が羽根車３１から離反した際に、回転手段３２により回転される羽根車３１と協動して連通路４における気体７を開口３に向かうように強制的に流動させるべく羽根車３１に接近する一方、接離板３３が羽根車３１に接近した際に、回転手段３２により回転される羽根車３１と協動して連通路４における気体７の他方の開口２に向かう強制的な流動を解除すべく羽根車３１から離反するようになっているために、接離板３３を回転手段３２により回転される羽根車３１に接近させると共に接離板３４を当該羽根車３１から離反させることにより、連通路４における気体７に開口３から開口２に向かう流動を強制的に生じさせることができ、また、接離板３３を回転手段３２により回転される羽根車３１から離反させると共に接離板３４を当該羽根車３１に接近させることにより、連通路４における気体７に開口２から開口３に向かう流動を強制的に生じさせることができ、従って、本例では、開口２が建物外１１に臨むように、開口３が建物内１８に臨むように配されているので、建物内１８の気体７を建物外１１に強制的に排気することができると共に建物外１１の気体７を建物内１８に強制的に給気することができる。
【００５１】
換気装置１によれば、強制流動手段８が、接離板３３の羽根車３１に対する接近又は離反に基づいて接離板３４の羽根車３１に対する離反又は接近を生じさせるように接離板３３及び３４を連結している連結部材としての連結アーム３５を具備しているために、接離板３３及び３４の羽根車３１に対する接近及び離反を機械的に同期して行わせることができ、更に、接離板３３及び３４を羽根車３１に対して接近及び離反させるための電動モータ等の駆動源を減らすことができる。
【００５２】
換気装置１によれば、接離板３３及び３４が、羽根車３１に対して凹状に曲がっていると共に、羽根車３１を部分的に取り囲んでいる凹曲部５５を夫々具備しているために、連通路４における気体７の流動を効果的に生じさせ得る。
【００５３】
換気装置１によれば、接離板３３の凹曲部５５の開口３側における端部５８が、当該凹曲部５５の開口２側における端部６３よりも羽根車３１に近接しており、接離板３４の凹曲部５５の開口２側における端部６３が、当該凹曲部５５の開口３側における端部６３よりも羽根車３１に近接しているために、連通路４における気体７の流動をより効果的に生じさせ得る。
【００５４】
換気装置１によれば、接離板３３が、連通路４を開口２側における空間５６と開口３側における空間５７とに区画するように、接離板３３の凹曲部５５の開口３側における端部５８に連続していると共に当該端部５８から折り曲げられている区画板部５９を具備しており、接離板３４もまた同様に区画板部５９を具備しているために、連通路４における気体７の流動をより効果的に生じさせ得る。
【００５５】
換気装置１によれば、接離板３３及び３４が、回動軸６１を夫々具備しており、当該回動軸６１を軸心として夫々回動されることにより羽根車３１に対して夫々接近及び離反するようになっているために、接離板３３及び３４を回動させるだけで当該接離板３３及び３４の一方の端部を他方の端部よりも大きく接近移動又は離反移動させることができ、而して、連通路４における気体７の流動を簡単な作動により効果的に生じさせ得る。
【００５６】
換気装置１によれば、強制流動手段８が、回転手段３２により羽根車３１が回転されていない場合には、連通路４における気体７の非強制的な流動を許容するようになっているために、連通路４における気体７の非強制的な流動を生じさせ得て、気体７の自然な流動に基づく換気（自然換気）を行い得る。
【００５７】
換気装置１によれば、接離板３３が、当該接離板３３が羽根車３１に接近している際に、連通路４を規定している枠手段６の規定面と協動して連通路４における気体７の非強制的な流動を許容する通路６７を形成するようになっているために、連通路４における気体７の非強制的な流動を円滑に生じさせ得、気体７の自然な流動に基づく換気をより効果的に行い得る。
【図面の簡単な説明】
【００５８】
【図１】本発明の実施の形態の例の断面説明図である。
【図２】図１に示す例の建物外側からみた説明図である。
【図３】図１に示す例の主に羽根車の斜視説明図である。
【図４】図１に示す例の主に接離板の斜視説明図である。
【図５】図１に示す例の動作説明図である。
【図６】図１に示す例の動作説明図である。
【符号の説明】
【００５９】
１  換気装置
２、３  開口
４  連通路
６  枠手段
７  気体
８  強制流動手段
３１  羽根車
３２  回転手段
３３、３４  接離板
【図１】
0004622258.tif 000002
【図２】
0004622258.tif 000003
【図３】
0004622258.tif 000004
【図４】
0004622258.tif 000005
【図５】
0004622258.tif 000006
【図６】
0004622258.tif 000007